(57)【要約】【課題】シンプルな構成で周囲の明るさに制約されることなく液晶モニタの表示を視認することができる電子カメラを提供する。【解決手段】液晶モニタ２４の液晶表示パネル６４は、表示面が透過型表示領域６４Ａと反射型表示領域６４Ｂとに二分割されている。ＣＣＤ５４で撮像された被写体の明るさが閾値以上の場合は、反射型表示領域６４Ｂに画像が表示されるとともに、バックライト６６が消灯される。一方、ＣＣＤ５４で撮像された被写体の明るさが閾値未満の場合は、透過型表示領域６４Ａに画像が表示されるとともに、バックライト６６が点灯される。【選択図】    図３
2004228722.tif 000002
【特許請求の範囲】
【請求項１】
カメラボディに液晶モニタを備え、該液晶モニタに撮像素子で撮像された画像が表示される電子カメラにおいて、
１つの表示面が透過型表示領域と反射型表示領域とに二分割された液晶表示パネルと、前記液晶表示パネルの透過型表示領域の裏面に配設されたバックライトと、前記液晶表示パネルの反射型表示領域の裏面に配設され、前記液晶表示パネルの表面から入射した光を反射する反射板と、前記液晶表示パネルを駆動する液晶表示パネル駆動手段と、前記バックライトを駆動するバックライト駆動手段とを有する前記液晶モニタと、
前記撮像素子で撮像された画像に基づいて被写体の明るさを検出する測光手段と、
前記測光手段の検出結果に基づいて前記液晶表示パネル駆動手段と前記バックライト駆動手段とを制御する制御手段であって、被写体の明るさが閾値以上になると、前記バックライトを消灯させるとともに、前記液晶表示パネルの反射型表示領域に画像を表示させ、被写体の明るさが閾値未満になると、前記バックライトを点灯させるとともに、前記液晶表示パネルの透過型表示領域に画像を表示させるように制御する制御手段と、
を備えたことをことを特徴とする電子カメラ。
【請求項２】
前記制御手段は、被写体の明るさが第１の閾値以上になると、前記バックライトを消灯させるとともに、前記液晶表示パネルの反射型表示領域に画像を表示させ、被写体の明るさが第２の閾値未満になると、前記バックライトを点灯させるとともに、前記液晶表示パネルの透過型表示領域に画像を表示させるように制御することを特徴とする請求項１に記載の電子カメラ。
【請求項３】
前記制御手段は、前記液晶表示パネルの反射型表示領域と透過型表示領域に同じ画像を表示させるとともに、被写体の明るさが閾値以上になると、前記バックライトを消灯させ、被写体の明るさが閾値未満になると、前記バックライトを点灯させるように制御することを特徴とする請求項１に記載の電子カメラ。
【請求項４】
前記制御手段は、前記液晶表示パネルの反射型表示領域と透過型表示領域に同じ画像を表示させるとともに、被写体の明るさが第１の閾値以上になると、前記バックライトを消灯させ、被写体の明るさが第２の閾値未満になると、前記バックライトを点灯させるように制御することを特徴とする請求項１に記載の電子カメラ。
【発明の詳細な説明】
【０００１】
【発明の属する技術分野】
本発明は電子カメラに係り、特にカメラボディに液晶モニタを備えた電子カメラに関する。
【０００２】
【従来の技術】
一般に電子カメラに搭載される液晶モニタには透過型のものが多い。透過型の液晶モニタは、周囲が暗い環境などでは有利であるが、直射日光にさらされた明るい屋外などでは表示が見難くなるという問題がある。
【０００３】
この問題を改善するため、たとえば特許文献１では、カメラボディに反射型と透過型の２つの液晶表示装置を備え、両方に同じ画像を表示させることにより、周囲の明るさに制約されることなく画像を視認できるようにさせている。
【０００４】
【特許文献１】
特開平１０−２８５４９７号公報
【０００５】
【発明が解決しようとする課題】
しかしながら、カメラボディに反射型と透過型の２つの液晶表示装置を個別に取り付けると、部品点数が増し、コストアップになるという欠点がある。
【０００６】
本発明は、このような事情に鑑みてなされたもので、シンプルな構成で周囲の明るさに制約されることなく液晶モニタの表示を視認することができる電子カメラを提供することを目的とする。
【０００７】
【課題を解決するための手段】
請求項１に係る発明は、前記目的を達成するために、カメラボディに液晶モニタを備え、該液晶モニタに撮像素子で撮像された画像が表示される電子カメラにおいて、１つの表示面が透過型表示領域と反射型表示領域とに二分割された液晶表示パネルと、前記液晶表示パネルの透過型表示領域の裏面に配設されたバックライトと、前記液晶表示パネルの反射型表示領域の裏面に配設され、前記液晶表示パネルの表面から入射した光を反射する反射板と、前記液晶表示パネルを駆動する液晶表示パネル駆動手段と、前記バックライトを駆動するバックライト駆動手段とを有する前記液晶モニタと、前記撮像素子で撮像された画像に基づいて被写体の明るさを検出する測光手段と、前記測光手段の検出結果に基づいて前記液晶表示パネル駆動手段と前記バックライト駆動手段とを制御する制御手段であって、被写体の明るさが閾値以上になると、前記バックライトを消灯させるとともに、前記液晶表示パネルの反射型表示領域に画像を表示させ、被写体の明るさが閾値未満になると、前記バックライトを点灯させるとともに、前記液晶表示パネルの透過型表示領域に画像を表示させるように制御する制御手段と、を備えたことをことを特徴とする電子カメラを提供する。
【０００８】
本発明によれば、液晶表示パネルの表示面が、透過型表示領域と反射型表示領域とに二分割されており、被写体の明るさ応じて何れか一方の表示領域が選択的に使用される。すなわち、測光手段で検出された被写体の明るさが閾値以上の場合は、反射型表示領域に画像を表示させ、閾値未満の場合は、透過型表示領域に画像を表示させる。これにより、周囲の明るさに制約されることなく液晶モニタの表示を視認することができる。また、１つの液晶表示パネルの表示面を二分割して反射型表示領域と透過型表示領域とに使用しているので、シンプルな構造になる。さらに、反射型表示領域に画像を表示させる場合は、バックライトを消灯させるので、消費電力も減らすことができる。
【０００９】
また、請求項２に係る発明は、前記目的を達成するために、前記制御手段は、被写体の明るさが第１の閾値以上になると、前記バックライトを消灯させるとともに、前記液晶表示パネルの反射型表示領域に画像を表示させ、被写体の明るさが第２の閾値未満になると、前記バックライトを点灯させるとともに、前記液晶表示パネルの透過型表示領域に画像を表示させるように制御することを特徴とする請求項１に記載の電子カメラを提供する。
【００１０】
本発明によれば、閾値に幅を持たせることにより、被写体の明るさが閾値付近の時に透過型表示と反射型表示とが頻繁に切り替わり、表示が見づらくなるのを防止できる。
【００１１】
また、請求項３に係る発明は、前記目的を達成するために、前記制御手段は、前記液晶表示パネルの反射型表示領域と透過型表示領域に同じ画像を表示させるとともに、被写体の明るさが閾値以上になると、前記バックライトを消灯させ、被写体の明るさが閾値未満になると、前記バックライトを点灯させるように制御することを特徴とする請求項１に記載の電子カメラを提供する。
【００１２】
本発明によれば、液晶表示パネルの反射型表示領域と透過型表示領域に同じ画像が表示され、被写体の明るさが閾値以上になると、バックライトを消灯される。これにより、周囲の明るさに制約されることなく液晶モニタの表示を視認することができるとともに、消費電力も減らすことができる。
【００１３】
また、請求項４に係る発明は、前記目的を達成するために、前記制御手段は、前記液晶表示パネルの反射型表示領域と透過型表示領域に同じ画像を表示させるとともに、被写体の明るさが第１の閾値以上になると、前記バックライトを消灯させ、被写体の明るさが第２の閾値未満になると、前記バックライトを点灯させるように制御することを特徴とする請求項１に記載の電子カメラを提供する。
【００１４】
本発明によれば、閾値に幅を持たせることにより、被写体の明るさが閾値付近の時にバックライトが頻繁にＯＮ／ＯＦＦされて、表示が見づらくなるのを防止できる。
【００１５】
【発明の実施の形態】
以下、添付図面に従って本発明に係る電子カメラの好ましい実施の形態について詳説する。
【００１６】
図１、図２は、それぞれ本発明に係る電子カメラの一実施形態を示す正面斜視図と背面斜視図である。
【００１７】
図１に示すように、本実施の形態の電子カメラ１０のカメラボディ１２は、横長の四角い箱状に形成されており、その正面には撮影レンズ１４、ストロボ１６、ファインダ窓１８等が設けられており、上面にはレリーズボタン２０、電源スイッチ２２が設けられている。
【００１８】
また、図２に示すように、カメラボディ１２の背面には、液晶モニタ２４、ファインダ接眼部２６、モードスイッチ２８、ズームボタン３０、マクロボタン３２、ストロボボタン３４、ＭＥＮＵ／ＯＫボタン３６、ＢＡＣＫボタン３８、表示ボタン４０等が設けられている。
【００１９】
撮影レンズ１４は、沈胴式のズームレンズで構成されており、カメラの電源をＯＮにすることにより、カメラボディ１２の正面から繰り出される。そして、カメラの電源をＯＦＦにすることにより、カメラボディ１２内に沈胴する。撮影レンズ１４が沈胴すると、カメラボディ１２の前面はフラットになり、撮影レンズ１４は図示しないレンズバリアで覆われる。
【００２０】
レリーズボタン２０は、いわゆる「半押し」と「全押し」とからなる２段ストロークタイプのボタンで構成されており、「半押し」でＡＦ（Ａｕｔｏ  Ｆｏｃｕｓ：自動焦点合わせ）、ＡＥ（Ａｕｔｏ  Ｅｘｐｏｓｕｒｅ  ：自動露出）が機能し、「全押し」で撮影が実行される。
【００２１】
電源スイッチ２２は、カメラボディ１２の上面に横方向にスライド自在に設けられており、その設定位置によってカメラの電源がＯＮ／ＯＦＦされる。
【００２２】
液晶モニタ２４は、撮影した画像の再生用モニタとして使用されるとともに、撮影時にはスルー画を表示して電子ビューファインダとして使用される。この液晶モニタ２４は、横方向に長く形成されており、透過型表示領域と反射型表示領域の２つの表示領域を備えている。なお、この液晶モニタ２４の構成については、後に詳述する。
【００２３】
モードスイッチ２８は、カメラボディ１２の背面に横方向にスライド自在に設けられており、その設定位置によって電子カメラ１０のモードが設定される。ここで、この電子カメラ１０のモードには、静止画を撮影する「撮影モード」と、撮影した画像を再生する「再生モード」があり、いずれか一方のモードが選択的に設定される。
【００２４】
ズームボタン３０は、撮影モード時にズームを指示するボタンとして機能し、カメラボディ１２の背面に上下方向に揺動自在に設けられている。また、このズームボタン３０は、再生モード時に再生画像のズームを指示するボタンとしても機能する。
【００２５】
マクロボタン３２は、カメラボディ１２の背面に押圧自在に設けられており、撮影モード時にマクロ機能のＯＮ／ＯＦＦを指示するボタンとして機能する。また、このマクロボタン３２は、再生モードの時に１コマ前の画像が表示されるように指示するボタン（コマ戻しボタン）として機能する。
【００２６】
ストロボボタン３４は、カメラボディ１２の背面に押圧自在に設けられており、撮影モード時にストロボモード（自動発光／赤目軽減／スローシンクロ／発光禁止）の切り替えを指示するボタンとして機能する。また、このストロボボタン３４は、再生モード時に１コマ後の画像が表示されるように支持するボタン（コマ送りボタン）として機能する。
【００２７】
ＭＥＮＵ／ＯＫボタン３６は、カメラボディ１２の背面に押圧自在に設けられており、液晶モニタ２４にメニューの表示を指示するボタンとして機能する。電子カメラ１０は、このＭＥＮＵ／ＯＫボタン３６が押されることにより、液晶モニタ２４上にメニュー画面が表示される。ここで、このメニュー画面が液晶モニタ２４に表示されている場合において、ズームボタン３０とマクロボタン３２とストロボボタン３４とからなる３つのボタンは、一体となって十字キーの機能を呈し、この３つのボタンを利用してメニュー項目の選択等が行なわれる。また、このＭＥＮＵ／ＯＫボタン３６は、メニューから選択した項目の確定や動作の実行を指示するボタンとしても機能する。
【００２８】
ＢＡＣＫボタン３８は、カメラボディ１２の背面に押圧自在に設けられており、メニューから選んだ項目の取消や１つ前の操作状態に戻すことを指示するボタンとして機能する。
【００２９】
表示ボタン４０は、カメラボディ１２の背面に押圧自在に設けられており、液晶モニタ２４の表示切替を指示するボタンとして機能する。すなわち、撮影モード時に、この表示ボタン４０を押すと、液晶モニタ２４の表示が、オートモード／反射型表示モード／透過型表示モード／表示オフに切り替えられる。
【００３０】
図３は、本実施の形態の電子カメラ１０の内部構成を示すブロック図である。電子カメラ１０の全体の動作は、ＣＰＵ５０によって統括、制御され、ＣＰＵ５０は、レリーズボタン２０、電源スイッチ２２、モードスイッチ２８、表示ボタン４０等を含む操作部５２からの入力に応じた処理を行なう。
【００３１】
撮影レンズ１４を介して撮像素子（ＣＣＤ）５４の受光面上に結像された被写体像は、撮像素子５４に撮像され、画像データとして撮像回路５６に出力される。撮像回路５６は、入力された画像データに対して所定の信号処理を施して、液晶モニタ２４に出力する。また、撮像回路５６で所定の信号処理が施された画像データはレリーズボタン２０が押されると、記録再生処理回路５８のメモリに記録される。そして、記録再生処理回路５８において、データ圧縮などの記録処理が行われたのち、図示しないカードスロットに装填されたメモリカード６０に記録される。
【００３２】
液晶モニタ２４は、液晶ドライバ６２、液晶表示パネル６４、バックライト６６及びインバータ６８を含み、撮像回路５６から出力された画像データは、液晶ドライバ６２に加えられる。液晶ドライバ６２は、入力された画像データに基づいて液晶表示パネル６４を駆動し、ＣＣＤ５４に撮像された画像を液晶表示パネル６４に表示させる。
【００３３】
ここで、この液晶表示パネル６４は、図４に示すように、表示面が横長（たとえば、縦横比３：８）に形成されて左右２分割されており、一方が透過型表示領域６４Ａ、他方が反射型表示領域６４Ｂとされている。そして、透過型表示領域６４Ａの裏面には、バックライト６６が配置されており、反射型表示領域６４Ｂの裏面には、反射板７０が配置されている。反射板７０は、バックライト６６からの光を遮蔽するとともに、液晶表示パネル６４の表面から入射した光を反射する。
【００３４】
液晶ドライバ６２は、ＣＰＵ５０から入力される制御信号に基づいてＣＣＤ５４で撮像された画像を液晶表示パネル６４の透過型表示領域６４Ａと反射型表示領域６４Ｂのいずれか一方に表示させる。何れの表示領域に画像を表示させるかは、選択された表示モードによる。すなわち、表示ボタン４０で選択された表示方式が、「反射型表示モード」の場合は、反射型表示領域６４Ｂに画像を表示させ、「透過型表示モード」の場合は、透過型表示領域６４Ａに画像を表示させる。そして、「オートモード」の場合は、ＣＣＤ５４で撮像される被写体の明るさに基づいて表示領域を自動で切り替える。すなわち、ＣＣＤ５４で撮像される被写体の明るさが、一定の明るさ以上であれば、周囲は明るいと判断して、反射型表示領域６４Ｂに画像を表示させ、一定の明るさ未満であれば、周囲は暗いと判断して、透過型表示領域６４Ａに画像を表示させる。
【００３５】
撮像回路５６には、このＣＣＤ５４で撮像される被写体の明るさを算出するＡＥ（Ａｕｔｏ  Ｅｘｐｒｏｓｕｒｅ）回路が含まれており、ＡＥ回路は、１画面中の所定領域の輝度信号を積算し、被写体の明るさ示す信号をＣＰＵ５０に出力する。
【００３６】
ＣＰＵ５０は、得られた被写体の明るさ情報とメモリ７２に記録された閾値（明暗の基準となる明るさ）とを比較し、被写体の明るさが閾値以上であれば、反射型表示領域６４Ｂに画像を表示させるように液晶ドライバ６２に制御信号を出力する。一方、被写体の明るさが閾値未満であれば、透過型表示領域６４Ａに画像を表示させるように液晶ドライバ６２に制御信号を出力する。
【００３７】
このように、ＣＰＵ５０は、ＣＣＤ５４で撮像される被写体の明るさ情報に基づいて液晶表示パネル６４の透過型表示領域６４Ａと反射型表示領域６４Ｂとに選択的に撮像画像を表示させる。
【００３８】
なお、透過型表示領域６４Ａに画像を表示させる場合は同時にバックライト６６も点灯させる。バックライト６６はインバータ６８によって点灯され、インバータ６８は、図示しない電源から供給される直流電圧を高圧の交流電圧に変えてバックライト６６を点灯させる。このインバータ６８の駆動は、ＣＰＵ５０に制御されており、ＣＰＵ５０は、液晶表示パネル６４の透過型表示領域６４Ａに画像を表示させる時にインバータ６８を駆動してバックライト６６を点灯させる。液晶表示パネル６４の透過型表示領域６４Ａに表示された画像は、このバックライト６６から照射される光を介して確認される。
【００３９】
以上のように構成された本実施の形態の電子カメラ１０の作用は次のとおりである。
【００４０】
モードスイッチ２８でカメラのモードを撮影モードに設定して電子カメラ１０の電源を投入すると、撮影レンズ１４を介してＣＣＤ５４の受光面上に結像された被写体像が液晶モニタ２４上に表示される。
【００４１】
この際、撮像画像は液晶モニタ２４上にオートモードで表示され、被写体の明るさによって自動で表示領域が切り替えられる。すなわち、図５に示すように、電源が投入されると、ＣＣＤ５４で撮像された画像から被写体の明るさが検出され（ステップＳ１０）、検出された被写体の明るさと閾値とが比較される（ステップＳ１１）。そして、検出された被写体の明るさが、閾値以上の場合は、反射型表示領域６４Ｂに撮像画像が表示され（ステップＳ１２）、閾値未満の場合は、透過型表示領域６４Ａに撮像画像が表示される（ステップＳ１３）。そして、透過型表示領域６４Ａに撮像画像が表示される場合は、バックライト６６が点灯され、反射型表示領域６４Ｂに撮像画像が表示される場合は、バックライト６６が消灯される。このステップを繰り返し実行し、被写体の明るさに応じて表示領域を自動で切り替える。
【００４２】
このように、ＣＣＤ５４で撮像される画像の明るさによって、液晶表示パネル６４の表示が反射型表示と透過型表示とに自動で切り替えられる。これにより、周囲の明るさに制約されずに液晶モニタ２４に表示される画像を明瞭に視認することができる。
【００４３】
また、透過型表示領域６４Ａに画像を表示させる場合にのみバックライト６６が点灯されるので、電力消費を抑制することができる。
【００４４】
また、一つの液晶表示パネル６４を利用して透過型表示領域６４Ａと反射型表示領域６４Ｂとを形成しているので、透過型液晶と反射型液晶を別々に設ける場合に比べて構造がシンプルになる。これにより、カメラボディのコンパクト化が図れるとともに、製造コストも抑制することができる。
【００４５】
なお、撮影者が、透過型表示領域６４Ａのみを利用したい場合、あるいは反射型表示領域６４Ｂのみを利用したい場合は、表示モードを切り替えることにより、任意に設定することができる。すなわち、表示ボタン４０を押すと、表示モードが、オートモード／反射型表示モード／透過型表示モード／表示オフの順に切り替えられるので、これにより表示モードを設定する。そして、反射型表示モードを選択すれば、周囲の明るさによらずに反射型表示領域６４Ｂに画像が表示され、透過型表示モードを選択すれば、透過型表示領域６４Ａに画像が表示される。これにより、撮影者の見やすい方の設定に自由にすることができる。
【００４６】
なお、本実施の形態では、透過型表示領域６４Ａと反射型表示領域６４Ｂの何れか一方にのみ画像を表示させるようにしているが、常に両方の表示領域に同じ画像を表示させておき、ＣＣＤ５４で撮像される被写体の明るさに応じてバックライト６６をＯＮ／ＯＦＦさせるようにしてもよい（オートモード時）。すなわち、この場合、図６に示すように、液晶表示パネル６４には、透過型表示領域６４Ａと反射型表示領域６４Ｂの両方の領域に同じ画像を表示させておき（ステップＳ２０）、この状態でＣＣＤ５４で撮像された画像から被写体の明るさが検出される（ステップＳ２１）。そして、検出された被写体の明るさと閾値とが比較される（ステップＳ２２）。この比較の結果、検出された被写体の明るさが閾値以上の場合は、バックライト６６を消灯させる（ステップＳ２３）。一方、検出された被写体の明るさが閾値未満の場合は、バックライト６６を点灯させる。このステップを繰り返し実行し、被写体の明るさに応じてバックライト６６のＯＮ／ＯＦＦを自動で切り替える。
【００４７】
このように、ＣＣＤ５４で撮像される被写体の明るさに応じてバックライト６６をＯＮ／ＯＦＦさせるようにしても、周囲の明るさに制約されずに液晶モニタ２４に表示される画像を明瞭に視認することができる。
【００４８】
なお、この場合も反射型表示モードと透過型表示モードを撮影者が任意に選べるものとし、反射型表示モードを選択した場合は、透過型表示領域６４Ａと反射型表示領域６４Ｂの両方に同じ画像を表示させるとともにバックライト６６を消灯させる。また、透過型表示モードを選択した場合は、透過型表示領域６４Ａと反射型表示領域６４Ｂの両方に同じ画像を表示させるとともにバックライト６６を点灯させる。
【００４９】
次に、本発明に係る電子カメラの第２の実施の形態について説明する。上述した実施の形態では、オートモード時にＣＣＤ５４で撮像された被写体の明るさが閾値以上になると、反射型表示領域６４Ｂに画像を表示させ、閾値未満になると、透過型表示領域６４Ａに画像を表示させている。
【００５０】
しかし、この場合、被写体の明るさが閾値付近で上下に変動した場合、液晶モニタ２４の表示が頻繁に切り替わることとなる。
【００５１】
そこで、本実施の形態では、閾値に幅をもたせることにより、表示が頻繁に切り替わるのを防止する。すなわち、透過型表示領域６４Ａから反射型表示領域６４Ｂに表示を切り替えさせる第１の閾値Ａと、反射型表示領域６４Ｂから透過型表示領域６４Ａに表示を切り替えさせる第２の閾値Ｂとを規定しておき（Ａ＞Ｂ）、ＣＣＤ５４で撮像された被写体の明るさが第１の閾値Ａ以上になると、反射型表示領域６４Ｂに画像を表示させ、第２の閾値Ｂ未満になると、透過型表示領域６４Ａに画像を表示させる。具体的には、次のように表示が制御される。
【００５２】
まず、液晶モニタ２４の表示状態が判定される（ステップＳ３０）。すなわち、透過型表示領域６４Ａに画像が表示されているか、反射型表示領域６４Ｂに画像が表示されているかが判定される。ここで、反射型表示モードからオートモードに切り替えた場合は、初期表示は反射型表示となり、透過型表示モードからオートモードに切り替えた場合は、初期表示は透過型表示となる。また、電源投入時は、初期表示が反射型表示になるものとする。
【００５３】
初期表示が、たとえば反射型表示の場合（バックライトＯＦＦ）、まず、ＣＣＤ５４で撮像された画像から被写体の明るさが検出される（ステップＳ３１）。そして、検出された被写体の明るさと第１の閾値Ａとが比較される（ステップＳ３２）。この比較の結果、被写体の明るさが第１閾値Ａ以上の場合は、そのまま反射型表示領域６４Ｂに画像を表示させる（ステップＳ３３）。そして、ステップ３１に戻り、再び被写体の明るさが検出されて、表示を切り替えるか否かが判定される。
【００５４】
一方、検出された被写体の明るさが第１の閾値Ａ未満の場合、次に、検出された被写体の明るさと第２の閾値Ｂとが比較される（ステップＳ３４）。この比較の結果、検出された被写体の明るさが、第２の閾値Ｂ以上の場合は、そのまま反射型表示領域６４Ｂに画像を表示させる（ステップＳ３５）。そして、ステップ３１に戻り、再び被写体の明るさが検出されて、表示を切り替えるか否かが判定される。
【００５５】
一方、検出された被写体の明るさが第２の閾値Ｂ未満の場合は、透過型表示領域６４Ａに画像が表示されるように表示を切り替え、バックライト６６を点灯させる（ステップＳ３６）。
【００５６】
透過型表示に表示が切り替わった後は、再び被写体の明るさが検出され（ステップＳ３７）、検出された被写体の明るさと第２の閾値Ｂとが比較される（ステップＳ３８）。この比較の結果、被写体の明るさが第２閾値Ｂ未満の場合は、そのまま透過型表示領域６４Ａに画像を表示させる（ステップＳ３９）。そして、ステップ３７に戻り、再び被写体の明るさが検出されて、表示を切り替えるか否かが判定される。
【００５７】
一方、検出された被写体の明るさが第２の閾値Ｂ以上の場合、次に、検出された被写体の明るさと第１の閾値Ａとが比較される（ステップＳ４０）。この比較の結果、検出された被写体の明るさが、第１の閾値Ａ未満の場合は、そのまま透過型表示領域６４Ａに画像を表示させる（ステップＳ４１）。そして、ステップ３７に戻り、再び被写体の明るさが検出されて、表示を切り替えるか否か判定される。
【００５８】
一方、検出された被写体の明るさが第１の閾値Ａ以上の場合は、反射型表示領域６４Ｂに画像が表示されるように表示を切り替え、バックライト６６を消灯させる（ステップＳ４２）。そして、透過型表示に表示が切り替わった後は、ステップ３１に戻り、再び被写体の明るさが検出される。
【００５９】
なお、初期表示が、透過型反射型表示の場合（バックライトＯＮ）は、ステップ３７に進み、被写体の明るさが検出されて、表示を切り替えるか否かが判定される。
【００６０】
このように、閾値に幅をもたせることにより、液晶モニタ２４の表示が頻繁に切り替わるのを防止でき、表示が見づらくなるのを防止することができる。
【００６１】
なお、本実施の形態では、透過型表示領域６４Ａと反射型表示領域６４Ｂの何れか一方にのみ画像を表示させる場合を例に説明したが、常に両方の表示領域に同じ画像を表示させておき、被写体の明るさに応じてバックライト６６をＯＮ／ＯＦＦさせる場合にも、同様に閾値に幅をもたせて制御するようにしてもよい。すなわち、ＣＣＤ５４で撮像された被写体の明るさが第１の閾値以上になると、バックライト６６を消灯し、第２の閾値未満になると、バックライト６６を点灯させる。これにより、バックライト６６のＯＮ／ＯＦＦが頻繁に切り替わり、表示が見づらくなるのを防止できる。
【００６２】
なお、上記の実施の形態では、バックライト６６を液晶表示パネル６４の透過型表示領域６４Ａにのみ設置しているが、反射型表示領域６４Ｂを含めた液晶表示パネル６４の裏面全体に設置するようにしてもよい。この場合、反射板７０は、液晶表示パネル６４の反射型表示領域６４Ｂとバックライト６６との間に設置する。これにより、既存の透過型の液晶表示パネルを利用することができ、製造コストを抑えることができる。
【００６３】
【発明の効果】
以上説明したように、本発明によれば、液晶表示パネルの表示面が、透過型表示領域と反射型表示領域とに二分割されており、被写体の明るさ応じて何れか一方の表示領域が選択的に使用されるので、周囲の明るさに制約されることなく液晶モニタの表示を視認することができる。また、１つの液晶表示パネルの表示面を二分割して反射型表示領域と透過型表示領域とに使用しているので、構造がシンプルになり、カメラボディをコンパクト化することができる。さらに、表示状態に応じてバックライトをＯＮ／ＯＦＦさせるので、消費電力も減らすことができる。
【図面の簡単な説明】
【図１】本発明に係る電子カメラの一実施形態を示す正面斜視図
【図２】本発明に係る電子カメラの一実施形態を示す背面斜視図
【図３】電子カメラの内部構成を示すブロック図
【図４】液晶モニタの概略構成を示す斜視図
【図５】オートモード時における透過型表示領域と反射型表示領域の表示切替の一例を示すフローチャート
【図６】オートモード時における透過型表示領域と反射型表示領域の表示切替の他の一例を示すフローチャート
【図７】第２の実施の形態の電子カメラにおけるオートモード時の透過型表示領域と反射型表示領域の表示切替の一例を示すフローチャート
【符号の説明】
１０…電子カメラ、１２…カメラボディ、１４…撮影レンズ、１６…ストロボ、１８…ファインダ窓、２０…レリーズボタン、２２…電源スイッチ、２４…液晶モニタ、２６…ファインダ接眼部、２８…モードスイッチ、３０…ズームボタン、３２…マクロボタン、３４…ストロボボタン、３６…ＭＥＮＵ／ＯＫボタン、３８…ＢＡＣＫボタン、４０…表示ボタン、５０…ＣＰＵ、５２…操作部、５４…撮像素子（ＣＣＤ）、５６…撮像回路、５８…記録再生処理回路、６０…メモリカード、６２…液晶ドライバ、６４…液晶表示パネル、６４Ａ…透過型表示領域、６４Ｂ…反射型表示領域、６６…バックライト、６８…インバータ、７０…反射板、７２…メモリ
【図１】
2004228722.tif 000003
【図２】
2004228722.tif 000004
【図３】
2004228722.tif 000005
【図４】
2004228722.tif 000006
【図５】
2004228722.tif 000007
【図６】
2004228722.tif 000008
【図７】
2004228722.tif 000009